(57)【要約】【課題】自動警戒を好適に開始することが可能な自動警戒開始判定装置を提供する。【解決手段】自動警戒開始判定装置４０は、利用者ＩＤ及び入出データが入力されて入出データ記憶部４２ａに記憶させる入出データ入力部４１と、利用者ＩＤと利用者の端末のメールアドレスとが記憶されている携帯端末データ記憶部４２ｂと、自動警戒開始予定時刻になった場合に自動警戒開始予告データを生成する自動警戒開始予告データ生成部４３と、自動警戒開始予告データを携帯端末に送信する自動警戒開始予告データ送信部４４と、携帯端末から返信データを取得する返信データ取得部４５と、所定期間内に返信データが取得されない場合に、対応する利用者が入出エリア内にはいないと判定する判定部４６と、入出エリア内に利用者がいなくなった場合に、自動警戒開始データを自動警戒装置に送信する自動警戒開始データ送信部４７と、を備える。【選択図】図２
2010170284.tif 000002
【特許請求の範囲】
【請求項１】
利用者に固有の利用者ＩＤ及び当該利用者の入出エリアへの入出に関する入出データが入力される入出データ入力部と、
入力された前記利用者ＩＤ及び前記入出データが記憶される入出データ記憶部と、
前記利用者ＩＤと、前記利用者の端末のメールアドレスと、が関連付けて予め記憶されている端末データ記憶部と、
自動警戒開始予定時刻になった場合に、前記入出データ記憶部及び前記端末データ記憶部を参照して、前記入出エリア内に残留している利用者の端末への自動警戒の開始予告に関する自動警戒開始予告データを生成する自動警戒開始予告データ生成部と、
生成された前記自動警戒開始予告データを前記端末に送信する自動警戒開始予告データ送信部と、
前記端末から、前記自動警戒開始予告データに対する返信データを取得する返信データ取得部と、
前記自動警戒開始予告データの送信時刻から所定期間内に前記返信データが取得された場合に、対応する利用者は前記入出エリア内に残留していると判定し、前記自動警戒開始予告データの送信時刻から所定期間内に前記返信データが取得されない場合に、対応する利用者が前記入出エリア内にはいないと判定する判定部と、
前記判定部による判定結果に基づいて、前記入出エリア内に利用者がいなくなった場合に、自動警戒の開始に関する自動警戒開始データを前記入出エリアの自動警戒装置に送信する自動警戒開始データ送信部と、
を備えることを特徴とする自動警戒開始判定装置。
【請求項２】
前記自動警戒開始予定時刻より後で、前記自動警戒開始データが送信されていないときに、新たな利用者が前記入出エリアに入った旨を示す入出データが前記入出データ入力部に入力された場合には、
前記自動警戒開始予告データ生成部は、新たな利用者に対する自動警戒開始予告データを生成し、
前記自動警戒開始予告データ送信部は、新たな利用者に対する自動警戒開始予告データを送信し、
前記判定部は、新たな利用者に対する自動警戒開始予告データの送信時刻から所定期間内に前記返信データが取得された場合に、新たな利用者は前記入出エリア内に残留していると判定し、新たな利用者に対する自動警戒開始予告データの送信時刻から所定期間内に前記返信データが取得されない場合に、新たな利用者が前記入出エリア内にはいないと判定する
ことを特徴とする請求項１に記載の自動警戒開始判定装置。
【請求項３】
前記自動警戒開始予定時刻より後で、前記自動警戒開始データが送信されていないときに、前記利用者が前記入出エリアから出た旨を示す入出データが前記入出データ入力部に入力された場合には、前記判定部は、対応する利用者は前記入出エリアにはいないと判定する
ことを特徴とする請求項１又は請求項２に記載の自動警戒開始判定装置。
【請求項４】
コンピュータを、
利用者に固有の利用者ＩＤ及び当該利用者の入出エリアへの入出に関する入出データが入力され、入出データ記憶部に記憶させる入出データ入力部、
自動警戒開始予定時刻になった場合に、前記入出データ記憶部及び前記利用者ＩＤと、前記利用者の端末のメールアドレスと、が関連付けて予め記憶されている端末データ記憶部を参照して、前記入出エリア内に残留している利用者の端末への自動警戒の開始予告に関する自動警戒開始予告データを生成する自動警戒開始予告データ生成部、
生成された前記自動警戒開始予告データを前記端末に送信する自動警戒開始予告データ送信部、
前記端末から、前記自動警戒開始予告データに対する返信データを取得する返信データ取得部、
前記自動警戒開始予告データの送信時刻から所定期間内に前記返信データが取得された場合に、対応する利用者は前記入出エリア内に残留していると判定し、前記自動警戒開始予告データの送信時刻から所定期間内に前記返信データが取得されない場合に、対応する利用者が前記入出エリア内にはいないと判定する判定部、及び、
前記判定部による判定結果に基づいて、前記入出エリア内に利用者がいなくなった場合に、自動警戒の開始に関する自動警戒開始データを前記入出エリアの自動警戒装置に送信する自動警戒開始データ送信部、
として機能させることを特徴とする自動警戒開始判定プログラム。
【請求項５】
前記自動警戒開始予定時刻より後で、前記自動警戒開始データが送信されていないときに、新たな利用者が前記入出エリアに入った旨を示す入出データが前記入出データ入力部に入力された場合には、
前記自動警戒開始予告データ生成部は、新たな利用者に対する自動警戒開始予告データを生成し、
前記自動警戒開始予告データ送信部は、新たな利用者に対する自動警戒開始予告データを送信し、
前記判定部は、新たな利用者に対する自動警戒開始予告データの送信時刻から所定期間内に前記返信データが取得された場合に、新たな利用者は前記入出エリア内に残留していると判定し、新たな利用者に対する自動警戒開始予告データの送信時刻から所定期間内に前記返信データが取得されない場合に、新たな利用者が前記入出エリア内にはいないと判定する
ことを特徴とする請求項４に記載の自動警戒開始判定プログラム。
【請求項６】
前記自動警戒開始予定時刻より後で、前記自動警戒開始データが送信されていないときに、前記利用者が前記入出エリアから出た旨を示す入出データが前記入出データ入力部に入力された場合には、前記判定部は、対応する利用者は前記入出エリアにはいないと判定する
ことを特徴とする請求項４又は請求項５に記載の自動警戒開始判定プログラム。
【発明の詳細な説明】
【技術分野】
【０００１】
本発明は、施設に設けられた自動警戒システムにおいて自動警戒の開始を判定する自動警戒開始判定装置及び自動警戒開始判定プログラムに関する。
【背景技術】
【０００２】
ビル等の施設には、自動警戒システムが設けられている。かかる自動警戒システムは、自動警戒を行うべき入出エリア内に残留者がいないことを確認してから自動警戒を開始する。特許文献１に記載された出退管理システムは、自動警戒を開始しようとする際に、残留者リストを生成する。かかる出退管理システムにおいては、残留者が出退管理システムに対して何らかの手法でエリアから出た旨を通知することによって、エリア内に残留しているヒト（残留者）が残留者リストから削除される。
【先行技術文献】
【特許文献】
【０００３】
【特許文献１】国際公開第２００６／０１１５５７号パンフレット
【発明の概要】
【発明が解決しようとする課題】
【０００４】
しかし、施設の利用者が他の利用者と共にエリアから出た場合、すなわち、共連れが発生した場合には、利用者がエリア内に残留していると認識されてしまうことがあり、かかる利用者からの通知がない場合には、自動警戒を開始することができないという問題があった。そのため、自動警戒を行うことが困難であり、監視カメラの映像又は巡回する警備員による目視によって残留者がいないことを確認してから警戒装置による警戒を開始せざるを得なかった。
【０００５】
本発明は、前記した問題を解決すべく創案されたものであり、自動警戒を好適に開始することが可能な自動警戒開始判定装置及び自動警戒開始判定プログラムを提供することを課題とする。
【課題を解決するための手段】
【０００６】
前記課題を解決するため、本発明の自動警戒開始判定装置は、利用者に固有の利用者ＩＤ及び当該利用者の入出エリアへの入出に関する入出データが入力される入出データ入力部と、入力された前記利用者ＩＤ及び前記入出データが記憶される入出データ記憶部と、前記利用者ＩＤと、前記利用者の端末のメールアドレスと、が関連付けて予め記憶されている端末データ記憶部と、自動警戒開始予定時刻になった場合に、前記入出データ記憶部及び前記端末データ記憶部を参照して、前記入出エリア内に残留している利用者の端末への自動警戒の開始予告に関する自動警戒開始予告データを生成する自動警戒開始予告データ生成部と、生成された前記自動警戒開始予告データを前記端末に送信する自動警戒開始予告データ送信部と、前記端末から、前記自動警戒開始予告データに対する返信データを取得する返信データ取得部と、前記自動警戒開始予告データの送信時刻から所定期間内に前記返信データが取得された場合に、対応する利用者は前記入出エリア内に残留していると判定し、前記自動警戒開始予告データの送信時刻から所定期間内に前記返信データが取得されない場合に、対応する利用者が前記入出エリア内にはいないと判定する判定部と、前記判定部による判定結果に基づいて、前記入出エリア内に利用者がいなくなった場合に、自動警戒の開始に関する自動警戒開始データを前記入出エリアの自動警戒装置に送信する自動警戒開始データ送信部と、を備えることを特徴とする。
【発明の効果】
【０００７】
本発明によれば、入出エリアに残留していると認識されている利用者からの通知がない場合には、当該利用者は入出エリアにはいないと判定するので、利用者からの通知がないことによって自動警戒が開始されないという事態を防ぐことができ、自動警戒を好適に開始することができる。
【図面の簡単な説明】
【０００８】
【図１】本発明の実施形態に係る自動警戒開始判定装置を備える自動警戒システムを模式的に示す図である。
【図２】図１の自動警戒開始判定装置を示すブロック図である。
【図３】制御装置に記憶されたカード情報テーブルを示す図である。
【図４】入出エリアテーブルの一例を示す図である。
【図５】入出データテーブルの一例を示す図である。
【図６】携帯端末データテーブルの一例を示す図である。
【図７】自動警戒データテーブルの一例を示す図である。
【図８】本発明の実施形態に係る自動警戒開始判定装置の動作例を説明するためのフローチャートである。
【図９】本発明の実施形態に係る自動警戒開始判定装置の動作例を説明するためのフローチャートである。
【図１０】本発明の実施形態に係る自動警戒開始判定装置の動作例を説明するためのフローチャートである。
【図１１】残留者テーブルの一例を示す図である。
【発明を実施するための形態】
【０００９】
以下、本発明の実施形態について、適宜図面を参照しながら説明する。同様の部分には同一符号を付し、重複する説明を省略する。図１は、本発明の実施形態に係る自動警戒開始判定装置を備える自動警戒システムを模式的に示す図である。図２は、図１の自動警戒開始判定装置を示すブロック図である。図３は、制御装置に記憶されたカード情報テーブルを示す図である。図４は、入出エリアテーブルの一例を示す図である。図５は、入出データテーブルの一例を示す図である。図６は、携帯端末データテーブルの一例を示す図である。図７は、自動警戒データテーブルの一例を示す図である。
【００１０】
＜自動警戒システム１＞
図１に示すように、自動警戒システム１は、入出エリア２の自動警戒を実施するためのシステムであり、入出エリア２の扉１１のエリア外側近傍に設けられたカードリーダ１２と、入出エリア２の扉１１のエリア内側近傍に設けられたカードリーダ１３と、扉１１に設けられた電気錠１４と、扉１１の開閉状態を検出する扉センサ１５と、入出エリア２内の状態変化を検出可能なセンサ１６と、ブザー１７と、制御装置１８と、を備える。制御装置１８は、カードリーダ１２，１３、電気錠１４、扉センサ１５及びセンサ１６から伝送されたデータを取得するとともに、電気錠１４及びブザー１７を駆動制御する装置であり、特許請求の範囲における自動警戒装置の一例である。また、自動警戒システム１は、入出エリア２内を撮像するカメラ１９と、カメラ１９による撮像データを格納するカメラサーバ２０と、を備える。
【００１１】
制御装置１８、カメラサーバ２０及び後記する自動警戒開始判定装置４０は、ＨＵＢ２１によって互いに通信可能に接続されている。また、ＨＵＢ２１及びメールサーバ２２は、ルータ２３によって互いに通信可能に接続されている。ここで、メールサーバ２２は、後記する携帯端末３２とメールを送受信するサーバである。制御装置１８、カメラサーバ２０、メールサーバ２２及び自動警戒開始装置４０は、自動警戒システム１が適用された施設の構内に設置されており、これらのうち、メールサーバ２２のみが外部のネットワークＮＷと通信可能となるようにルータ２３が設定されている。
【００１２】
入出エリア２に入出する利用者Ｕは、カードリーダ１２，１３によって読み取り可能なＩＣカード３１と、メールサーバ２２とメールを送受信可能な携帯電話等の携帯端末３２を携帯している。ＩＣカード３１には、当該ＩＣカードを携帯する利用者Ｕに固有のカードＩＤ（利用者ＩＤ）が記憶されている。
【００１３】
制御装置１８には、図３に示すカード情報テーブルが格納されている。カード情報テーブルは、入出エリア２内に入ることが可能な利用者Ｕに対応するカードＩＤとアンチバスパックフラグとを関連付けて記憶するためのテーブルである。アンチバスパックフラグは、利用者Ｕが入出エリア２内にいない場合に「１」、利用者Ｕが入出エリア２内にいる場合に「２」と設定される。
【００１４】
例えば、入出エリア２に入ろうとする利用者Ｕがカードリーダ１２にＩＣカード３１を読み取らせた場合には、制御装置１８は、受信したカードＩＤを用いてカード情報テーブルを参照する。該当するカードＩＤが存在し、かつ、対応するアンチバスパックフラグが「１」の場合には、制御装置１８は、電気錠１４を解錠する。その後一定時間内に扉１１の状態が「閉」から「開」に変化した場合には、制御装置１８は、扉センサ１５の検出結果に基づいて、利用者Ｕが入出エリア２に入ったと判定し、対応するアンチバスパックフラグを「２」に書き換え、カードＩＤ、カードリーダ１２のカードリーダ番号及び扉１１の状態が変化した時刻（入時刻、入出データ）を自動警戒開始判定装置４０に伝送する。
【００１５】
一方、入出エリア２から出ようとする利用者Ｕがカードリーダ１３にＩＣカード３１を読み取らせた場合には、制御装置１８は、受信したカードＩＤを用いてカード情報テーブルを参照する。該当するカードＩＤが存在し、かつ、対応するアンチバスパックフラグが「２」の場合には、制御装置１８は、電気錠１４を解錠する。その後一定時間内に扉１１の状態が「閉」から「開」に変化した場合には、制御装置１８は、扉センサ１５の検出結果に基づいて、利用者Ｕが入出エリア２から出たと判定し、対応するアンチバスパックフラグを「１」に書き換え、カードＩＤ、カードリーダ１３のカードリーダ番号及び扉１１の状態が変化した時刻（出時刻、入出データ）を自動警戒開始判定装置４０に伝送する。
【００１６】
ここで、アンチバスパックフラグは、共連れによる入出を防止するため、入出エリア２に入った履歴が無いのに入出エリア２から出ようとする利用者Ｕ、及び、入出エリア２から出た履歴が無いのに入出エリア２に入ろうとする利用者Ｕを検出するためのフラグである。
【００１７】
なお、図１には入出エリア２が一つである場合を図示しているが、本発明の実施形態に係る自動警戒システムは、入出エリア２が複数ある場合にも適用可能である。この場合には、制御装置１８及び後記する自動警戒開始判定装置４０は、図４に示す入出エリア名、入側カードリーダ及び出側カードリーダが互いに関連付けて記憶される入出エリアテーブルを備えており、自動警戒システム１は、かかる入出エリアテーブルを用いて各入出エリア２における自動警戒を行う。
【００１８】
さらに、自動警戒システム１は、管理室３に設けられた装置として、キーボード、マウス等からなる入力装置３３と、ディスプレイ、スピーカ等からなる出力装置３４及びＣＰＵ、ＲＡＭ、ＲＯＭ、入出力回路等から構成される自動警戒開始判定装置４０と、を備える。
【００１９】
＜自動警戒開始判定装置４０＞
図２に示すように、自動警戒開始判定装置４０は、機能部として、入出データ入力部４１と、記憶部４２と、自動警戒開始予告データ生成部４３と、自動警戒開始予告データ送信部４４と、返信データ取得部４５と、判定部４６と、自動警戒開始データ送信部４７と、計時部４８と、を備えている。
【００２０】
入出データ入力部４１には、制御装置１８から送信されたカードＩＤ（利用者ＩＤ）と、入時刻又は出時刻（入出データ）と、が入力される。入出データ入力部４１は、記憶部４２の入出データ記憶部４２ａに記憶させる。
【００２１】
記憶部４２は、入出データ記憶部４２ａ、携帯端末データ記憶部４２ｂ及び自動警戒データ記憶部４２ｃを備える。図５に示すように、入出データ記憶部４２ａは、入出エリア名と、カードＩＤと、入時刻又は出時刻と、が関連付けて記憶された入出データテーブルを備える。図６に示すように、携帯端末データ記憶部４２ｂは、カードＩＤと、当該カードＩＤに対応するＩＣカードを携帯する利用者Ｕの氏名と、当該利用者Ｕが携帯する携帯端末３２の連絡先メールアドレスと、が関連付けて記憶された携帯端末データテーブルを備える。図７に示すように、自動警戒データ記憶部４２ｃは、入出エリア名と、自動警戒を行うか否かを表す自動警戒フラグと、自動警戒開始予定時刻と、返信待ち時間と、が関連付けて記憶された自動警戒データテーブルを備える。
【００２２】
自動警戒開始予告データ生成部４３は、自動警戒データ記憶部４２ｃの自動警戒データテーブルを参照するとともに計時部４８の時刻をチェックして、自動警戒開始予定時刻になった場合に、入出データ記憶部４２ａ及び携帯端末データ記憶部４２ｂの携帯端末データテーブルを参照して、入出エリア２内に残留している利用者Ｕが携帯している携帯端末３２への自動警戒の開始予告に関する自動警戒開始予告データを生成する。
【００２３】
自動警戒開始予告データ送信部４４は、自動警戒開始予告データ生成部４３によって生成された自動警戒開始予告データを、携帯端末データ記憶部４２ｂの携帯端末データテーブルに記憶された連絡先メールアドレスを用いて、入出エリア２内に残留している利用者Ｕの携帯端末３２へ送信する。自動警戒開始予告データを受信した携帯端末３２は、例えば、「入出エリア内にいる場合には返信してください。入出エリア外にいる場合には返信は不要です。」等と表示する。利用者Ｕは、かかる表示を確認し、入出エリア２内にいる場合にのみ、返信データを送信する。
【００２４】
返信データ取得部４５は、携帯端末３２から、自動警戒開始予告データに対する返信データを取得する。
【００２５】
判定部４６は、自動警戒開始予告データの送信時刻から所定期間内に返信データが取得された場合に、対応する利用者は入出エリア２内に残留していると判定し、自動警戒開始予告データの送信時刻から所定期間内に返信データが取得されない場合に、対応する利用者が入出エリア２内にはいないと判定する。
【００２６】
自動警戒開始データ送信部４７は、判定部４６による判定結果に基づいて、入出エリア２内に利用者Ｕがいなくなった場合に、自動警戒の開始に関する自動警戒開始データを入出エリア２の制御装置１８に送信する。
【００２７】
計時部４８は、自動警戒開始予告データ生成部４３及び判定部４６によって用いられる時刻を提供する。
【００２８】
＜動作例＞
続いて、本発明の実施形態に係る自動警戒開始判定装置４０の動作例について、図８〜図１１を参照して説明する（適宜図１〜図７参照）。図８〜図１０は、本発明の実施形態に係る自動警戒開始判定装置の動作例を説明するためのフローチャートである。図１１は、残留者テーブルの一例を示す図である。
【００２９】
まず、自動警戒開始判定装置４０の自動警戒開始予告データ生成部４３が、自動警戒データ記憶部４２ｃを参照するとともに計時部４８の時刻をチェックして（ステップＳ１）、自動警戒開始予定時刻になった場合に（ステップＳ１でＹｅｓ）、入出データ記憶部４２ａを参照して、図１１に示す残留者テーブルを生成する（ステップＳ２）。残留者テーブルには、入出エリア２の入出エリア名と、入出データに基づいて当該入出エリア２に残留していると判定された利用者ＵのカードＩＤと、当該利用者Ｕが入出エリア２に入った入時刻と、当該利用者Ｕの携帯端末３２に自動警戒開始予告データを送信した送信時刻と、当該利用者Ｕの携帯端末３２からの返信データを取得した返信時刻と、が関連付けて記憶されている。なお、この時点では、送信時刻及び返信時刻は空欄となっている。
【００３０】
続いて、生成された自動警戒開始予告データに未送信のものがある場合には（ステップＳ３でＹｅｓ）、自動警戒開始予告データ送信部４４が、未送信の自動警戒開始予告データを該当する利用者Ｕの携帯端末３２に送信し（ステップＳ４）、自動警戒開始予告データ生成部４３が、残留者テーブルに送信時刻を格納する（ステップＳ５）。ステップＳ５の実行後、本フローはステップＳ３に戻る。
【００３１】
すべての自動警戒開始予告データが送信され（ステップＳ３でＮｏ）、入出エリア２内に利用者Ｕがおり（ステップＳ６でＹｅｓ）、制御装置１８がカード情報テーブルを書き換えて新たな入出データを送信し、入出データ入力部４１に新たな入出データ及び利用者ＩＤが入力され（ステップＳ７でＹｅｓ）、かつ、入力された入出データが、利用者Ｕが入出エリア２から出たことを示すデータである場合には（ステップＳ８でＹｅｓ）、自動警戒開始予告データ生成部４３が、残留者テーブルから該当する利用者Ｕのデータを削除する（ステップＳ９）。ステップＳ９の実行後、本フローはステップＳ７に戻る。
【００３２】
一方、入力された入出データが、利用者Ｕが入出エリアに新たに入ってきたことを示すデータである場合には（ステップＳ８でＮｏ）、自動警戒開始予告データ生成部４３が、新たに入ってきた利用者Ｕに対する自動警戒開始予告データを生成し、自動警戒開始予告データ送信部４４が、当該自動警戒開始予告データを新たに入ってきた利用者Ｕの携帯端末３２へ送信し（ステップＳ１０）、自動警戒開始予告データ生成部４３が、残留者テーブルに該当する利用者Ｕのデータを追加する（ステップＳ１１）。ステップＳ１１の実行後、本フローはステップＳ７に戻る。
【００３３】
そして、未処理の入出データがなくなり（ステップＳ７でＮｏ）、返信データ取得部４５が携帯端末３２から送信された返信データを取得し（ステップＳ１２）、未確認の返信データがある場合には（ステップＳ１３でＹｅｓ）、自動警戒開始予告データ生成部４３が、残留者テーブルに返信データの返信時刻を格納する（ステップＳ１４）。ステップＳ１４の実行後、本フローはステップＳ１３に戻る。
【００３４】
取得された返信データの確認が終わり（ステップＳ１３でＮｏ）、判定部４６が、返信待ち時間を過ぎた利用者Ｕがいると判定すると（ステップＳ１５でＹｅｓ）、該当する利用者Ｕは実際には入出エリア２にはいないということであるから、判定部４６は、該当する利用者Ｕのデータを、残留者テーブルから削除する（ステップＳ１６）。ステップＳ１６の実行後、本フローはステップＳ１５に戻る。
【００３５】
そして、残留者テーブル内に返信待ち時間を過ぎた利用者Ｕがいない場合には（ステップＳ１５でＮｏ）、本フローはステップＳ６に戻る。そして、判定部４６が、入出エリア２内に利用者Ｕはいないと判定する場合、すなわち、返信待ち時間を過ぎた利用者Ｕのデータが残留者テーブルから削除され、残留者テーブル内の利用者Ｕがゼロになった場合に（ステップＳ６でＮｏ）、自動警戒開始データ送信部４７が、自動警戒開始データを制御装置１８へ送信する（ステップＳ１７）。
【００３６】
自動警戒開始データを受信した制御装置１８は、自動警戒を開始する。自動警戒を開始した制御装置１８は、電気錠１４、扉センサ１５及びセンサ１６から出力されたデータに基づいて扉１１の状態及び入出エリア２内の状態の変化を判定し、扉１１の状態又は入出エリア２内の状態が変化した場合に、ブザー１７に発報を行わせたり、自動警戒開始判定装置４０を介して出力装置３４のスピーカに発報を行わせて管理者に通知するとともに、カメラサーバ２０にカメラ１９の撮像データを記憶させる。発報及び撮像データの記憶は、管理者による入力装置３３の操作によって発報が解除されるまで継続される。また、入出エリア２内の利用者Ｕが、携帯端末３２を操作して発報解除データを送信したり、ＩＣカード３１をカードリーダ１３に読み取らせることによって発報が解除される構成であってもよい。この場合には、入出エリア２内に残留している利用者Ｕを特定することができる。
【００３７】
本発明の実施形態に係る自動警戒開始判定装置４０は、入出エリア２に残留していると認識されている利用者Ｕからの通知がない場合には、当該利用者Ｕは入出エリア２にはいないと判定するので、利用者Ｕからの通知がないことによって自動警戒が開始されないという事態を防ぐことができ、自動警戒を好適に開始することができる。例えば、共連れによって入出エリア２から出た利用者Ｕがいる場合には、入出データとしての出時刻が存在しないため、自動警戒開始判定装置４０は、かかる利用者Ｕは入出エリア２にいるものと最初に認識する。しかし、かかる利用者Ｕの携帯端末３２からの返信データを一定時間内に取得しない場合には、自動警戒開始判定装置４０は、かかる利用者Ｕは入出エリア２内にいないものと判定することができるので、かかる利用者Ｕが携帯端末３２に送信された自動警戒開始予告データに気が付かない場合であっても、自動警戒を好適に開始することができる。
【００３８】
以上、本発明の実施形態について説明したが、本発明は前記実施形態に限定されず、本発明の要旨を逸脱しない範囲で適宜設計変更可能である。例えば、本発明は、コンピュータを前記自動警戒開始判定装置４０として機能させる自動警戒開始判定プログラムとしても具現化可能である。また、利用者Ｕが入出エリア２内に設置されたコンピュータを利用して作業するプログラマ等である場合には、携帯端末３２ではなく、入出エリア２内に設置されたコンピュータに自動警戒開始予告データを送信する構成であってもよい。
【符号の説明】
【００３９】
４０    自動警戒開始判定装置
４１    入出データ入力部
４２    記憶部
４３    自動警戒開始予告データ生成部
４４    自動警戒開始予告データ送信部
４５    返信データ取得部
４６    判定部
４７    自動警戒開始データ送信部
【図１】
2010170284.tif 000003
【図２】
2010170284.tif 000004
【図３】
2010170284.tif 000005
【図４】
2010170284.tif 000006
【図５】
2010170284.tif 000007
【図６】
2010170284.tif 000008
【図７】
2010170284.tif 000009
【図８】
2010170284.tif 000010
【図９】
2010170284.tif 000011
【図１０】
2010170284.tif 000012
【図１１】
2010170284.tif 000013